(57)【要約】      （修正有）【課題】通信状態に変動がある場合においても、ユーザの希望に応じた画像の転送を実現する転送制御装置を提供する。【解決手段】医用画像の撮影モードを特定する特定手段と、撮影モードと、医用画像の転送に利用される通信の通信品質と、に基づいて、医用画像の転送を制御する転送制御手段とを有する。透視撮影中の場合にはリアルタイム性を重視し、通信指標が閾値以下となる程度に通信品質が低下した場合には、ビニング、画像間引き、階調圧縮などにより転送データ量を削減する。連続撮影やトモシンセシスにおいて、通信指標が閾値未満になった場合には、放射線画像の転送時のフレームレートを下げることで、画質が低下するのを防ぐ。【選択図】図４
2019176967.tif 000002
【特許請求の範囲】
【請求項１】
医用画像の撮影モードを特定する特定手段と、
前記撮影モードと、前記医用画像の転送に利用される通信の通信品質と、に基づいて、前記医用画像の転送を制御する転送制御手段と
を有することを特徴とする転送制御装置。
【請求項２】
前記転送制御手段は、前記通信品質が予め定められた閾値以上の場合に、第１の転送処理を行うよう制御し、前記通信品質が閾値未満の場合に、前記第１の処理と異なる第２の転送処理を行うよう制御することを特徴とする請求項１に記載の転送制御装置。
【請求項３】
前記第１の転送処理及び前記第２の転送処理は、前記撮影モードに応じて定まる処理であり、
前記第２の転送処理は、第１の転送処理と前記医用画像に係る転送データ量及びフレームレートのうち少なくとも一方が異なる処理であることを特徴とする請求項２に記載の転送制御装置。
【請求項４】
前記転送制御手段は、転送時のリアルタイム性を考慮した第１の撮影モードが特定された場合に、前記第２の転送処理として、前記第１の転送処理に比べて、前記転送データ量が小さくなるような画像処理が施された前記医用画像を転送する処理を行うよう制御することを特徴とする請求項３に記載の転送制御装置。
【請求項５】
前記転送制御手段は、前記通信品質に応じた種類の前記画像処理を行うよう制御することを特徴とする請求項４に記載の転送制御装置。
【請求項６】
前記転送制御手段は、転送時の画質を考慮した第２の撮影モードが特定された場合に、前記第２の転送処理として、前記第１の転送処理に比べて、前記フレームレートが小さくなるような転送処理を行うよう制御することを特徴とする請求項３に記載の転送制御装置。
【請求項７】
前記転送制御手段は、転送時のリアルタイム性及び画質を考慮した第３の撮影モードが特定された場合に、前記第２の転送処理として、前記第１の転送処理に比べて、前記転送データ量が小さくなるような画像処理と、前記第１の転送処理に比べて、前記フレームレートが小さくなるような転送処理と、の両方を行うよう制御することを特徴とする請求項３に記載の転送制御装置。
【請求項８】
前記転送制御手段は、ユーザから変更指示を受け付けた場合に、前記第２の転送処理を行うよう制御することを特徴とする請求項４乃至７の何れか１項に記載の転送制御装置。
【請求項９】
医用画像を撮影する撮影手段と、
前記医用画像の撮影モードを特定する特定手段と、
前記撮影モードと、前記医用画像の転送に利用される通信の通信品質と、に基づいて、前記医用画像の転送を制御する転送制御手段と
を有することを特徴とする撮影装置。
【請求項１０】
転送制御装置が実行する転送制御方法であって、
医用画像の撮影モードを特定する特定ステップと、
前記撮影モードと、前記医用画像の転送に利用される通信の通信品質と、に基づいて、前記医用画像の転送を制御する転送制御ステップと
を含むことを特徴とする転送制御方法。
【請求項１１】
コンピュータを、請求項１乃至８の何れか１項に記載の転送制御装置の各手段として機能させるためのプログラム。
【発明の詳細な説明】
【技術分野】
【０００１】
本発明は、医用画像の転送を制御する転送制御装置、撮影装置、転送制御方法及びプログラムに関する。
【背景技術】
【０００２】
従来、被写体を透過した放射線（Ｘ線など）を用いて放射線画像を撮影する放射線撮影システムが知られている。放射線撮影システムでは、放射線撮影装置により撮影された画像は情報処理装置に転送され、表示される。装置間の接続には、汎用的なＵＴＰ（Ｕｎｓｈｉｅｌｄｅｄ  Ｔｗｉｓｔ  Ｐａｉｒ）ケーブルなどを用いた有線接続や、無線インターフェースによる無線接続が利用される。特許文献１には、静止画撮影と動画撮影など、通信対象となる画像のデータ量が異なる撮影モードがある場合、通信品質を鑑みて撮影モードを切り替える放射線撮影装置が開示されている。
【先行技術文献】
【特許文献】
【０００３】
【特許文献１】特開２０１６−１１２３２２号公報
【発明の概要】
【発明が解決しようとする課題】
【０００４】
しかしながら、通信品質が低下した際に撮影動作に制限を掛けてしまうと、ユーザの利便性を損なう可能性がある。例えば、透視撮影では、ユーザは表示のリアルタイム性を要求するが、低下した通信状況に合わせて、画像をフレーム単位で間引くなどの制限をかけてしまうと、リアルタイム性が低下してしまう。また、連続撮影では、ユーザは連続する各画像の空間分解能や濃度分解能に関して間引きや圧縮のない画像データを要求する。これに対し、画像中の関心領域（ＲＯＩ）を優先的に処理し他の領域の空間分解能や濃度分解能を粗くするなどの処理を行うと、ユーザの要求に相反する結果をもたらす可能性がある。
【０００５】
本発明はこのような問題点に鑑みなされたもので、通信状態に変動がある場合においても、ユーザの希望に応じた画像の転送を実現することを目的とする。
【課題を解決するための手段】
【０００６】
そこで、本発明は、転送制御装置であって、医用画像の撮影モードを特定する特定手段と、前記撮影モードと、前記医用画像の転送に利用される通信の通信品質と、に基づいて、前記医用画像の転送を制御する転送制御手段とを有することを特徴とする。
【発明の効果】
【０００７】
本発明によれば、通信状態に変動がある場合においても、ユーザの希望に応じた画像の転送を実現することができる。
【図面の簡単な説明】
【０００８】
【図１】放射線撮影システムの全体構成図である。
【図２】放射線撮影装置のハードウェア構成図である。
【図３】放射線撮影装置の機能構成図である。
【図４】転送制御処理を示すフローチャートである。
【図５】第２の実施形態に係る転送制御処理を示すフローチャートである。
【図６】報知画面の一例を示す図である。
【図７】第３の実施形態に係る転送制御処理を示すフローチャートである。
【発明を実施するための形態】
【０００９】
以下、本発明の実施形態について図面に基づいて説明する。
【００１０】
（第１の実施形態）
図１は、第１の実施形態に係る放射線撮影システム１００の全体構成図である。放射線撮影システム１００は、放射線撮影装置１１０、情報処理装置１２０、アクセスポイント１３０、ＨＵＢ１４０、放射線インターフェース（以下、放射線Ｉ／Ｆと略す）１５０、放射線発生装置１６０を有している。
【００１１】
放射線発生装置１６０は、例えば、Ｘ線等の放射線１７０を発生させるために、電子を高電圧で加速して陽極に衝突させる放射線管を保有して構成されている。放射線１７０は、α線、β線、γ線、Ｘ線のいずれでもよい。放射線撮影装置１１０は、被写体Ｈを透過した放射線１７０に基づき放射線画像を撮影する。放射線撮影装置１１０は、例えば可搬型放射線撮影装置である。情報処理装置１２０は、放射線撮影装置１１０で撮影された放射線画像を表示部１２１に表示することや、操作部を介して入力された撮影条件の指示などを行う。
【００１２】
アクセスポイント１３０は、放射線撮影装置１１０と情報処理装置１２０などの端末間を接続する電波中継器である。ＨＵＢ１４０は、複数のネットワーク機器を接続する装置である。放射線Ｉ／Ｆ１５０は、通信を媒介する回路を有し、放射線撮影装置１１０と放射線発生装置１６０の状態を監視する。例えば、放射線Ｉ／Ｆ１５０は、放射線発生装置１６０からの放射線１７０の照射や、放射線撮影装置１１０による被写体Ｈの撮影などを制御する。院内ＬＡＮ１８０は、病院内に構築されたローカル・エリア・ネットワークである。
【００１３】
図１に示す放射線撮影システム１００において、放射線発生装置１６０から照射された放射線１７０は、患者である被写体Ｈに照射される。放射線撮影装置１１０は、被写体Ｈを透過した放射線１７０を検出して放射線画像を生成する。放射線撮影システム１００は、同期撮影と非同期撮影により撮影を行い得る。同期撮影は、放射線撮影装置１１０と放射線発生装置１６０との間で電気的な同期信号などをやり取りすることで放射線照射と撮影のタイミングをあわせる撮影である。非同期撮影は、各放射線撮影装置１１０と放射線発生装置１６０との間で、電気的な同期信号などをやりとりすることなく、各放射線撮影装置１１０が、放射線の入射を検知し、撮影を開始する撮影である。
【００１４】
非同期撮影では、放射線Ｉ／Ｆ１５０を設けずに、放射線発生装置１６０から放射線１７０が照射されると、放射線撮影装置１１０が自動的に画像信号（電荷）の蓄積を行って放射線画像を生成する。本実施形態では、この放射線Ｉ／Ｆ１５０を設けない、自動検出モードの放射線画像撮影システムを適用することも可能である。放射線撮影装置１１０は、非同期撮影において、撮影毎に放射線画像を転送してもよいし、撮影した画像を、撮影毎に転送せずに記憶部に保存しておいてもよい。
【００１５】
また、放射線撮影システム１００は、透視、連続撮影、静止画撮影、ＤＳＡ撮影、ロードマップ撮影、プログラム撮影、断層撮影、トモシンセシス撮影など、放射線撮影部で一般的に撮影される撮影条件により撮影を行い得る。各撮影条件には、撮影に関する情報が設定される。撮影条件としては、撮影フレームレート、管電圧、管電流、センサ読出しエリア、センサ駆動ビニング設定、コリメータ絞り設定、自動電圧制御設定（ＡＤＣ：Ａｕｔｏ  Ｄｏｓｅ  Ｃｏｎｔｏｒｏｌ）が挙げられる。また、撮影条件としては、自動曝射制御設定（ＡＥＣ：Ａｕｔｏ  Ｅｘｐｏｓｕｒｅ  Ｃｏｎｔｏｒｏｌ）、放射線ウインドウ幅、放射線撮影装置１１０へ放射線画像を撮り溜めるか否かなど撮影に関する情報が挙げられる。
【００１６】
例えば、透視の場合、放射線発生装置１６０は、パルス状の放射線を発生させ、同期撮影を行いながら撮影を行う。また、放射線撮影システム１００は必要に応じてセンサ読み出しエリアやセンサ駆動ビニング設定などを行うことが可能である。また、連続撮影や放射線管を移動させて異なる角度から被検体Ｈに放射線を照射して撮影を行い、得られた投影画像から所望の断層画像を得るトモシンセシスがある。トモシンセシスにおいては、放射線撮影装置１１０は、撮影毎に撮影された放射線画像を記憶部に記憶し、撮影毎、撮影終了後などのタイミングで情報処理装置１２０へ放射線画像を送信する。これにより、効率よく撮影を行うことができる。
【００１７】
図２は、放射線撮影装置１１０のハードウェア構成図である。放射線撮影装置１１０は、全体制御部２００と、通信部２１０と、放射線検出部２２０と、駆動回路２３０と、読出回路２４０と、ＡＤＣ２５０と、電源制御部２６０と、バッテリ部２７０と、外部電源２８０と、電源ボタン２９０と、を有している。
【００１８】
全体制御部２００は、放射線撮影装置１１０の全体を制御する。全体制御部２００は、ＣＰＵ２０１と、ＲＯＭ２０２と、ＲＡＭ２０３と、ＨＤＤ２０４とを有している。ＣＰＵ２０１は、ＲＯＭ２０２に記憶された制御プログラムを読み出して各種処理を実行する。ＲＡＭ２０３は、ＣＰＵ２０１の主メモリ、ワークエリア等の一時記憶領域として用いられる。ＨＤＤ２０４は、各種データや各種プログラム等を記憶する。なお、全体制御部２００の機能や処理は、ＣＰＵ２０１がＲＯＭ２０２又はＨＤＤ２０４に格納されているプログラムを読み出し、このプログラムを実行することにより実現されるものである。また、他の例としては、ＣＰＵ２０１は、ＲＯＭ２０２等に替えて、ＳＤカード等の記録媒体に格納されているプログラムを読み出してもよい。
【００１９】
また、他の例としては、全体制御部２００の機能や処理の少なくとも一部は、例えば複数のＣＰＵ、ＲＡＭ、ＲＯＭ、及びストレージを協働させることにより実現してもよい。また、他の例としては、全体制御部２００の機能や処理の少なくとも一部は、ハードウェア回路を用いて実現してもよい。
【００２０】
通信部２１０は、情報処理装置１２０及び放射線Ｉ／Ｆ１５０と有線又は無線により通信を行う。通信部２１０には、情報処理装置１２０との通信に用いる媒体に合わせて、無線通信モジュール及び有線通信モジュールのうち少なくとも一方が設定される。また通信部２１０に有線通信モジュールを選択した場合でも、放射線撮影装置１１０の外部に通信部２１０と接続される有線−無線変換モジュールを接続する形態とすることでも無線通信は可能である。
【００２１】
放射線検出部２２０は、被写体Ｈを透過した放射線１７０を画像信号（電荷）として検出する。すなわち、放射線検出部２２０は、放射線１７０を光に変換する。光電変換素子は、蛍光体により変換された光を電気信号である画像信号（電荷）に変換し、蓄積を行う。このように、放射線検出部２２０は被写体Ｈを透過した放射線１７０を検出して画像信号を得る放射線撮像部を構成する。駆動回路２３０は画像信号（電荷）の蓄積の蓄積、読み出し等の動作を行うＩＣである。読出回路２４０は画像信号（電荷）を増幅するＩＣである。
【００２２】
駆動回路２３０は、放射線検出部２２０に駆動信号を与える。具体的に、駆動回路２３０によってある行の画素２２１が駆動信号によって選択されると、選択された行の画素２２１のスイッチ素子２２３が順次ＯＮする。そして、選択された行の画素２２１の光電変換素子２２２に蓄積されている画像信号（電荷）が各画素２２１に接続されている信号線に出力される。読出回路２４０は、信号線に出力された画像信号を順次読み出す。ＡＤＣ２５０は、読出回路２４０によって読み出されたアナログ信号の画像信号を、デジタル信号の画像信号に変換し、これを放射線画像として全体制御部２００に出力する。全体制御部２００は、ＡＤＣ２５０から出力された放射線画像を撮影条件、時間等の情報に紐付けてＨＤＤ２０４に記憶する。ＨＤＤ２０４は、より具体的には、生成された画像と技師の識別情報である技師ＩＤ、患者の識別情報である患者ＩＤ、撮影時刻、撮影線量、撮影部位、撮影枚数、放射線画像の転送履歴などを紐付けて記憶する。
【００２３】
電源制御部２６０は電源ボタン２９０の操作状況に応じて、バッテリ部２７０や外部電源２８０との接続によって、それぞれから各構成部への電力供給の制御や、電池残量の監視などを行う。例えば、電源制御部２６０は、バッテリ部２７０等からの電圧を所定の電圧に変圧し、各構成部へ供給する。バッテリ部２７０は、バッテリから所定の電圧を供給する。例えばバッテリ部２７０は、準備動作検知部等に電力を供給するためのものである。バッテリは、例えば、リチウムイオン電池、電気二重層コンデンサが用いられる。外部電源２８０は、外部の電源から所定の電圧を供給する。電源ボタン２９０は、電源供給を開始・停止するボタンである。例えば、外部電源２８０が繋がっていない場合、電源ボタン２９０を押すことでバッテリ部２７０からの電力の供給のオンオフを切り替える。
【００２４】
図３は、放射線撮影装置１１０の機能構成図である。放射線撮影装置１１０は、転送制御に係る機能を有する装置であり、転送制御装置の一例である。放射線撮影装置１１０は、撮影制御部３０１と、通信監視部３０２と、転送制御部３０３と、を有している。撮影制御部３０１は、ユーザ操作に応じて設定された撮影モード（撮影条件）に従い、駆動回路２３０や、読出回路２４０等を制御することで、撮影を制御する。通信監視部３０２は、画像転送に利用される通信の通信品質を監視する。ここで、通信品質とは、通信速度等の予め定められた通信指標である。通信指標としては、無線通信における受信強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）、Ｓ／Ｎ比（ＳＮＲ：Ｓｉｇｎａｌ  ｔｏ  Ｎｏｉｓｅ  Ｒａｔｉｏ）が挙げられる。また、通信方式に無関係にデータレート、単位時間当たりのパケット損失量、ラウンドトリップタイム（ＲＴＴ：Ｒｏｕｎｄ  Ｔｒｉｐ  Ｔｉｍｅ）、パケットバッファの占有率等が挙げられる。
【００２５】
転送制御部３０３は、撮影制御部３０１による撮影条件の判定結果と、通信監視部３０２による通信品質の監視結果と、に基づいて、撮影により得られた画像データ（パケタイズされた画像データ）の情報処理装置１２０への転送を制御する。本実施形態においては、転送制御部３０３は、撮影モードに応じて、画像の転送に係る処理を行うよう制御する。転送制御部３０３は、さらに、通信品質に応じて、同じ撮影モードにおいても、転送データ量を削減するような画像処理やより低いフレームレートでの転送処理を行うよう制御する。転送データ量を削減するような画像処理としては、例えば、ビニング、画像間引き、階調圧縮、またはこれらを組み合わせた処理等が挙げられる。転送制御部３０３は、ＲＯＭ２０２に記憶された制御プログラムなどへ予め設定された通信品質の状況と撮影条件から導かれる転送処理方法（モードテーブルなど）に基づき、画像データを転送する。
【００２６】
図４は、本実施形態に係る放射線撮影装置１１０による転送制御処理を示すフローチャートである。転送制御処理は、撮影モードと、通信品質に応じた転送制御を行う処理である。本実施形態においては、撮影モードとして透視と連続撮影を例に説明する。ここで、透視は、転送先の情報処理装置１２０への転送時に、リアルタイム性を重視、すなわち考慮するモードである。一方で、連続撮影やトモシンセシスは、画像を放射線撮影装置１１０に保存し、各画像を劣化させずに転送する撮影モードであり、画質や一画像中の情報を失わないことを重視（考慮）する撮影モードである。
【００２７】
Ｓ４０１において、撮影制御部３０１は、情報処理装置１２０においてユーザ操作に応じて受信した撮影要求に従い撮影モードを設定する。撮影制御部３０１は、さらに受信した撮影モードに基づき、予め設定されたフレームレート等撮影条件を設定する。次に、Ｓ４０２において、撮影制御部３０１は、Ｓ４０１において設定された撮影モード（撮影条件）に応じて撮影を開始するよう制御する。次に、Ｓ４０３において、転送制御部３０３は、撮影モードを特定する。転送制御部３０３は、透視撮影中の場合には（Ｓ４０３でＹＥＳ）、処理をＳ４０４へ進める。転送制御部３０３は、連続撮影中の場合には（Ｓ４０３でＮＯ、Ｓ４０８でＹＥＳ）、処理をＳ４０９へ進める。転送制御部３０３は、いずれの撮影中でもない場合には（Ｓ４０３でＮＯ、Ｓ４０８でＮＯ）、処理をＳ４０７へ進める。
【００２８】
Ｓ４０４において、転送制御部３０３は、通信監視部３０２から通信指標を取得し、通信指標と閾値とを比較する。ここで、閾値は予め設定された値である。通信指標は、無線通信における受信強度（ＲＳＳＩ：Ｒｅｃｅｉｖｅｄ  Ｓｉｇｎａｌ  Ｓｔｒｅｎｇｔｈ  Ｉｎｄｉｃａｔｏｒ）、Ｓ／Ｎ比（ＳＮＲ：Ｓｉｇｎａｌ  ｔｏ  Ｎｏｉｓｅ  Ｒａｔｉｏ）が挙げられる。また、通信方式に無関係にデータレート、単位時間当たりのパケット損失量、ラウンドトリップタイム（ＲＴＴ：Ｒｏｕｎｄ  Ｔｒｉｐ  Ｔｉｍｅ）、パケットバッファの占有率等である。通信指標は、通信品質が高い程高い値であるものとする。転送制御部３０３は、通信指標が閾値未満の場合には（Ｓ４０４でＹＥＳ）、処理をＳ４０５へ進める。転送制御部３０３は、通信指標が閾値以上の場合には（Ｓ４０４でＮＯ）、処理をＳ４０６へ進める。Ｓ４０５において、転送制御部３０３は、リアルタイム性を重視した処理を行う。ここで、リアルタイム性を重視した処理とは、通信指標が閾値以下となる程度に通信品質が低下した場合においてもリアルタイム性を担保するような画像処理であり予め設定された処理である。なお、リアルタイム性を重視した処理としては、前述の通り、ビニング、画像間引き、階調圧縮、またはこれらを組み合わせた処理等が挙げられる。
【００２９】
次に、Ｓ４０６において、転送制御部３０３は、Ｓ４０５による処理後の画像を情報処理装置１２０に転送するよう制御する。なお、転送制御部３０３は、通信指標が閾値以上であった場合にはリアルタイム性を重視した処理を行うことなく、撮影により得られた画像を転送対象として、Ｓ４０６において情報処理装置１２０に転送するよう制御する。Ｓ４０６の処理の後、Ｓ４０７において、転送制御部３０３は、撮影が終了したか否かを判定する。転送制御部３０３は、撮影が終了した場合には（Ｓ４０７でＹＥＳ）、処理を終了する。転送制御部３０３は、撮影が終了していない場合には（Ｓ４０７でＮＯ）、処理をＳ４０３へ進める。
【００３０】
以上のように、転送制御部３０３は、透過撮影において、通信指標が閾値未満になった場合には、リアルタイム性を重視した処理として放射線画像のデータ量を削減する画像処理を行うことで、リアルタイム性が保てなくなるのを防ぐことができる。
【００３１】
一方、Ｓ４０９において、転送制御部３０３は、画像をＨＤＤ２０４に保存する。次に、Ｓ４０１０において、転送制御部３０３は、通信指標と閾値とを比較する。本処理で参照される閾値は、Ｓ４０４において参照される閾値と同じ値であるものとするが、他の例としては、両閾値は異なる値であってもよい。いずれにしても、各閾値は予め設定されているものとする。転送制御部３０３は、通信指標が閾値以上の場合には（Ｓ４１０でＮＯ）、処理をＳ４１１へ進める。転送制御部３０３は、通信指標が閾値未満の場合には（Ｓ４１０でＹＥＳ）、処理をＳ４１２へ進める。
【００３２】
Ｓ４１１において、転送制御部３０３は、第１のフレームレートで放射線画像を情報処理装置１２０へ転送するよう制御し、その後処理をＳ４０７へ進める。ここで、第１のフレームレートは、通常時に設定されているフレームレートであり、Ｓ４０６における転送時のフレームレートと等しい値である。一方で、Ｓ４１２において、転送制御部３０３は、第２のフレームレートで放射線画像を情報処理装置１２０へ転送するよう制御し、その後処理をＳ４０７へ進める。ここで、第２のフレームレートは、第１のフレームレートに比べて低い値である。なお、撮影終了後に放射線画像を転送することが可能であるため、駆動フレームレートについては変更しないことが好ましい。
【００３３】
以上のように、転送制御部３０３は、連続撮影において、通信指標が閾値未満になった場合には、放射線画像の転送時のフレームレートを下げることで、画質が低下するのを防ぐことができる。
【００３４】
上述の通り、透視は、転送先の情報処理装置１２０における表示部１２１へのリアルタイム性が重視される撮影モードである。しかしながら、通信品質が低下した場合には、それまでのフレームレートと画質を維持することが出来ない。これに対し、本実施形態の放射線撮影装置１１０は、通信品質が低下した場合には、フレームレートを維持してリアルタイム性を担保すべく転送データ量を削減するような画像処理を行うよう制御することができる。
【００３５】
一方で、連続撮影やトモシンセシスなど画像を放射線撮影装置１１０に保存し、各画像を劣化させずに転送する撮影モードにおいては、表示部１２１への画像表示時の画質が重視される。しかしながら、通信品質が低下した場合には、それまでのフレームレートと画質を維持することが出来ない。これに対し、本実施形態の放射線撮影装置１１０は、通信品質が低下した場合には、転送制御部３０３は、画質を担保すべくフレームレートを下げて転送を行うように制御することができる。以上のように、放射線撮影装置１１０は、撮影モードに応じた画像転送を行うことができるので、通信状態に変動がある場合においても、ユーザの希望に応じた画像の転送を実現することができる。
【００３６】
なお、第１の実施形態の第１の変形例としては、リアルタイム性が重視される撮影モードと画質が重視される撮影モードの例としてそれぞれ透視及び連続撮影について説明したが、撮影モードは実施形態に限定されるものではない。
【００３７】
また、第２の変形例としては、本実施形態においては、医用画像の一例として放射線画像を例に説明したが、医用画像は放射線画像に限定されるものではなく、ＭＲＩ画像や眼底画像等であってもよい。
【００３８】
また、第３の変形例としては、放射線画像に対し、関心領域（ＲＯＩ）が設定されていてもよい。そして、この場合には、放射線撮影装置１１０は、透視撮影中に、通信指標が閾値未満となった場合には、リアルタイム性を重視した処理に替えて、又はリアルタイム性を重視した処理を行いつつ、ＲＯＩを優先して転送するよう制御してもよい。
【００３９】
（第２の実施形態）
次に、第２の実施形態に係る放射線撮影システム１００について、第１の実施形態に係る放射線撮影システム１００と異なる点を主に説明する。図５は、第２の実施形態に係る放射線撮影装置１１０による転送制御処理を示すフローチャートである。なお、図５に示す転送制御処理の各処理のうち、図４を参照しつつ説明した第１の実施形態に係る転送制御処理の各処理と同一の処理には、同一の番号を付している。
【００４０】
転送制御部３０３は、Ｓ４０４において、通信指標が閾値未満の場合には（Ｓ４０４でＹＥＳ）、処理をＳ５０１へ進める。Ｓ５０１において、転送制御部３０３は、通信品質が低下した旨を示す情報を情報処理装置１２０へ通知する。これに対し、情報処理装置１２０は、通信が低下した旨を示す情報を受信すると、図６に示すように、報知画面６００を表示する。報知画面６００には、通信が低下した旨を示す報知情報６０１が示されている。報知画面６００には、さらにリアルタイム表示を重視する指示を入力するためのボタン６０２と、画質を重視する指示を入力するためのボタン６０３が表示されている。ユーザによりボタン６０２が選択されると、情報処理装置１２０は、転送に係る処理の変更指示を放射線撮影装置１１０へ送信する。図５に戻り、Ｓ５０２において、転送制御部３０３は、情報処理装置１２０から変更指示を受信したか否かを判定する。転送制御部３０３は、変更指示を受信した場合には（Ｓ５０２でＹＥＳ）、処理をＳ４０５へ進める。転送制御部３０３は、変更指示を受信しなかった場合には（Ｓ５０２でＮＯ）、処理をＳ４０６へ進める。
【００４１】
また、転送制御部３０３は、Ｓ４１０において、通信指標が閾値未満の場合には（Ｓ４１０でＹＥＳ）、処理を５０３へ進める。Ｓ５０３において、転送制御部３０３は、通信が低下した旨を示す情報を情報処理装置１２０へ通知する。これに対し、情報処理装置１２０は、通信が低下した旨を示す情報を受信すると、報知画面６００（図６）を表示する。情報処理装置１２０は、画質を重視する指示を入力するためのボタン６０３が選択されると、転送に係る処理の変更指示を放射線撮影装置１１０へ送信する。これに対応し、Ｓ５０４において、転送制御部３０３は、情報処理装置１２０から変更指示を受信したか否かを判定する。転送制御部３０３は、変更指示を受信した場合には（Ｓ５０４でＹＥＳ）、処理をＳ４１２へ進める。転送制御部３０３は、変更指示を受信しなかった場合には（Ｓ５０４でＮＯ）、処理をＳ４１１へ進める。なお、第２の実施形態に係る放射線撮影システム１００のこれ以外の構成及び処理は、第１の実施形態に係る放射線撮影システム１００の構成及び処理と同様である。
【００４２】
以上のように、第２の実施形態においては、ユーザから変更指示を受け付けた場合にのみ、リアルタイム性を重視した処理や第２のフレームレートでの画像転送を行う。これにより、通信状態に変動がある場合においても、ユーザの希望に応じた画像の転送を実現することができる。
【００４３】
（第３の実施形態）
次に、第３の実施形態に係る放射線撮影システム１００について、他の実施形態に係る放射線撮影システム１００と異なる点を主に説明する。図７は、第３の実施形態に係る放射線撮影装置１１０による転送制御処理を示すフローチャートである。なお、図７に示す転送制御処理の各処理のうち、図４を参照しつつ説明した第１の実施形態に係る転送制御処理の各処理と同一の処理には、同一の番号を付している。転送制御部３０３は、Ｓ４０２の処理の後、Ｓ７０１において、転送制御部３０３は、撮影モードを判定する。転送制御部３０３は、透視撮影中の場合には（Ｓ７０１でＹＥＳ）、処理をＳ７０２へ進める。転送制御部３０３は、連続撮影中の場合には（Ｓ７０１でＮＯ、Ｓ７１５でＹＥＳ）、処理をＳ７１６へ進める。転送制御部３０３は、いずれの撮影中でもない場合には（Ｓ７０１でＮＯ、Ｓ７１５でＮＯ）、処理をＳ７１４へ進める。
【００４４】
Ｓ７０２において、転送制御部３０３は、画像を送信バッファへ格納する。ここで送信バッファは、送信予定のパケットを閾値までバッファリングするものであり、ＲＡＭ２０３の一部の領域である。閾値は可変とする。Ｓ７０２における格納先の送信バッファの閾値は第１の閾値とする。なお、閾値については後に詳述する。次に、Ｓ７０３において、転送制御部３０３は、画像の格納により送信バッファが溢れるか否かを判定する。転送制御部３０３は、送信バッファが溢れる場合には（Ｓ７０３でＹＥＳ）、処理をＳ７０５へ進める。転送制御部３０３は、送信バッファが溢れない場合には（Ｓ７０３でＮＯ）、処理をＳ７０４へ進める。Ｓ７０４において、転送制御部３０３は、画像を情報処理装置１２０に転送するよう制御し、その後処理をＳ７０１へ進める。
【００４５】
Ｓ７０５において、転送制御部３０３は、ＲＯＩを送信バッファに格納する。ここで、送信バッファの閾値は第２の閾値とする。次に、Ｓ７０６において、転送制御部３０３は、ＲＯＩの格納により送信バッファが溢れるか否かを判定する。転送制御部３０３は、送信バッファが溢れる場合には（Ｓ７０６でＹＥＳ）、処理をＳ７０８へ進める。転送制御部３０３は、送信バッファが溢れない場合には（Ｓ７０６でＮＯ）、処理をＳ７０７へ進める。Ｓ７０７において、転送制御部３０３は、ＲＯＩを情報処理装置１２０に転送するよう制御し、その後処理をＳ７０１へ進める。
【００４６】
Ｓ７０８において、転送制御部３０３は、画像から所定の画素を間引いた間引き画像を生成し、これを送信バッファに格納する。ここで、送信バッファの閾値は第３の閾値とする。次に、Ｓ７０９において、転送制御部３０３は、間引き画像の格納により送信バッファが溢れるか否かを判定する。転送制御部３０３は、送信バッファが溢れる場合には（Ｓ７０９でＹＥＳ）、処理をＳ７１１へ進める。転送制御部３０３は、送信バッファが溢れない場合には（Ｓ７０９でＮＯ）、処理をＳ７１０へ進める。Ｓ７１０において、転送制御部３０３は、間引き画像を情報処理装置１２０に転送するよう制御し、その後処理をＳ７０１へ進める。
【００４７】
Ｓ７１１において、転送制御部３０３は、画像の階調を下げて、低階調画像を生成し、これを送信バッファに格納する。ここで、送信バッファの閾値は第４の閾値とする。次に、Ｓ７１２において、転送制御部３０３は、低階調画像の格納により送信バッファが溢れるか否かを判定する。転送制御部３０３は、送信バッファが溢れる場合には（Ｓ７１２でＹＥＳ）、処理をＳ７１４へ進める。転送制御部３０３は、送信バッファが溢れない場合には（Ｓ７１２でＮＯ）、処理をＳ７１３へ進める。Ｓ７１３において、転送制御部３０３は、低階調画像を情報処理装置１２０に転送するよう制御し、その後処理をＳ７０１へ進める。Ｓ７１４において、転送制御部３０３は、撮影が終了したか否かを判定する。転送制御部３０３は、撮影が終了した場合には（Ｓ７１４でＹＥＳ）、処理を終了する。転送制御部３０３は、撮影が終了していない場合には（Ｓ７１４でＮＯ）、処理をＳ７０１へ進める。
【００４８】
一方、Ｓ７１６において、転送制御部３０３は、画像をＨＤＤ２０４に保存する。なお、他の例としては、Ｓ７１６の処理は省略してもよい。次に、Ｓ７１７において、転送制御部３０３は、画像を送信バッファへ格納する。ここで、送信バッファの閾値は、第５の閾値とする。次に、Ｓ７１８において、転送制御部３０３は、画像の格納により送信バッファが溢れるか否かを判定する。転送制御部３０３は、送信バッファが溢れる場合には（Ｓ７１８でＹＥＳ）、処理をＳ７１９へ進める。転送制御部３０３は、送信バッファが溢れない場合には（Ｓ７１８でＮＯ）、処理をＳ７２１へ進める。
【００４９】
Ｓ７１９において、転送制御部３０３は、画像の転送フレームレートを下げて、送信バッファへ格納する。ここで、送信バッファの閾値は、第６の閾値とする。次に、Ｓ７２０において、転送制御部３０３は、画像の格納により送信バッファが溢れるか否かを判定する。転送制御部３０３は、送信バッファが溢れる場合には（Ｓ７２０でＹＥＳ）、処理をＳ７０５へ進める。転送制御部３０３は、送信バッファが溢れない場合には（Ｓ７２１でＮＯ）、処理をＳ７２１へ進める。Ｓ７２１において、転送制御部３０３は、画像を情報処理装置１２０に転送するよう制御し、その後処理をＳ７１５へ進める。
【００５０】
なお、上記送信バッファの閾値については、（式１）のような大小関係とするのが好ましい。このように、異なる閾値を用いることで、より適切な画像転送を行うことができる。
閾値５＞閾値６≧閾値１＞閾値２＞閾値３＞閾値４      …（式１）
【００５１】
なお、第３の実施形態に係る放射線撮影システム１００のこれ以外の構成及び処理は、他の実施形態に係る放射線撮影システム１００の構成及び処理と同様である。以上のように、第３の実施形態においては、通信品質の指標として送信バッファの使用領域の大きさを参照し、通信品質に応じた種類の画像処理を行うことで、データ量を異ならせることができる。
【００５２】
なお、実施形態の変形例としては、放射線撮影装置１１０は、画質及びリアルタイム性の両方を重視する撮影モードを有してもよい。そして、放射線撮影装置１１０は、このような撮影モードにおいて、通信指標が閾値未満になった場合に、転送データ量が小さくなるような画像処理と、フレームレートが小さくなるような転送処理と、の両方の処理を行うよう制御してもよい。なお、この場合に画像処理後のデータ量に応じて転送処理が行われてもよく、それぞれ独立した処理として２つの処理が行われてもよい。
【００５３】
以上、本発明の好ましい実施形態について詳述したが、本発明は係る特定の実施形態に限定されるものではなく、特許請求の範囲に記載された本発明の要旨の範囲内において、種々の変形・変更が可能である。
【００５４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００５５】
１００  放射線撮影システム
１１０  放射線撮影装置
１２０  情報処理装置
【図１】
2019176967.tif 000003
【図２】
2019176967.tif 000004
【図３】
2019176967.tif 000005
【図４】
2019176967.tif 000006
【図５】
2019176967.tif 000007
【図６】
2019176967.tif 000008
【図７】
2019176967.tif 000009